(57)【要約】      （修正有）【課題】部品数が少なく低コストで、組み立ての手間が必要でなく、使用後に臭気が漏れ出るのを防止でき、再使用も可能な可搬式簡易トイレを提供する。【解決手段】プラスチックの一体もののブロー成形体であり、蓋４と便座３と本体容器２からなる簡易トイレ。便座３と本体容器２は開口部１１，１０を有し、蓋４と便座３が本体容器２の前後対向位置にそれぞれ可撓性を有するヒンジ５，６を介して連接されている。便座３を本体容器２の上に被せたとき便座３と本体容器２は嵌合構造を取り、蓋４を便座の上に被せたとき蓋４と便座３は嵌合構造をとる。使用時は、排泄物収納用のプラスチック製袋を本体容器２内に収容し、その開口部を開口１０から上に出し、開口部の全周を便座３と本体容器２の間に挟む。【選択図】図１
2018201893.tif 000002
【特許請求の範囲】
【請求項１】
プラスチックの一体もののブロー成形体であり、蓋と便座と本体容器からなり、前記便座と本体容器は開口部を有し、前記蓋と便座が前記本体容器の対向位置にそれぞれ可撓性を有するヒンジ部を介して連接され、前記便座を前記本体容器の上に被せたとき前記便座と本体容器の間で嵌合構造を有し、前記蓋を前記便座の上に被せたとき前記蓋と便座との間で嵌合構造を有することを特徴とする可搬式簡易トイレ。
【請求項２】
さらにプラスチックのブロー成形体からなる別体の台座を含み、前記台座は前記本体容器の下に配置されることを特徴とする請求項１に記載された可搬式簡易トイレ。
【請求項３】
さらに排泄物収納用のプラスチック製袋を含み、前記プラスチック製袋は前記本体容器に収容され、前記便座を前記本体容器の上に被せたとき前記プラスチック製袋の開口部の全周が前記本体容器と便座の間に挟まれるものであることを特徴とする請求項１又は２に記載された可搬式簡易トイレ。
【発明の詳細な説明】
【技術分野】
【０００１】
本発明は、可搬式簡易トイレに関し、より具体的には、例えば自動車の長時間運転の際に携行したり、災害時に避難所等で使用したり、レジャー等でアウトドア使用するのに適する可搬式簡易トイレに関する。
【背景技術】
【０００２】
特許文献１〜３に自動車用の車内設置式簡易トイレが記載されている。これらの簡易トイレは自動車のシート（座）の中又はシートの下に設置されるもので、多数の部品からなり構造が複雑であるだけでなく、特殊なシートを必要とし（シートの改造が必要）、コスト的な負担も大きい。
特許文献４〜６に自動車用等の可搬式簡易トイレが記載されている。特許文献４に記載された簡易トイレは、多数の部品からなり構造が複雑であり、簡易に持ち運びができず、コスト的な負担も大きい。特許文献５に記載された簡易トイレは、部品数が少なく構造も簡単であるが、臭気対策が施されていないため、排泄１回ごとに貯蔵容器の口を締め付けて（閉じて）交換する必要がある。特許文献６に記載された簡易トイレは、大便ができず、便器から貯蔵容器までの流路の接続部から小便の漏れが発生する懸念があり、便器の開口部を単純に覆うだけの蓋では車内に臭気が充満するのを抑えることができない。
【０００３】
特許文献７，８に災害時に避難所等で使用したり、自動車の長時間運転の際やレジャー等に携行できる可搬式簡易トイレが記載されている。
特許文献７に記載された簡易トイレは、ヒンジ部（折り畳み部）で連なった複数のプラスチック平板からなる便器本体と、同じくヒンジ部で連なった複数のプラスチック平板（便座止板、便座板及び蓋板）からなる便座本体と、使用時に便器本体内に収容され、開口部周縁が便座止板と便座板と間に挟まれるプラスチック製の排泄物収容袋からなる。特許文献８に記載された簡易トイレは、特許文献７に記載されたプラスチック平板をダンボール平板に置き換えたような構造を有する。
【先行技術文献】
【特許文献】
【０００４】
【特許文献１】特許第２７０６０５７号公報
【特許文献２】特許第３５８４５１２号公報
【特許文献３】特開２００１−１８４２号公報
【特許文献４】特開２００２−３５６１９５号公報
【特許文献５】実用新案登録第３１４９８０１号公報
【特許文献６】特開２００８−３６１４４号公報
【特許文献７】特開２００６−１４９９６６号公報
【特許文献８】実用新案登録第３１２３２３８号公報
【発明の概要】
【発明が解決しようとする課題】
【０００５】
特許文献１〜６に記載された簡易トイレは、上記のとおりの問題点を有する。
特許文献７に記載された簡易トイレは、それぞれヒンジで連なった複数のプラスチック平板からなる２つの部品（便器本体と便座本体）を、ヒンジの部分で折り曲げて組み立てる必要があり、収納時はコンパクトでよいが、緊急時に間に合わないこともあり得る。また、使用後は便座板の上に蓋板を被せるが、平らな便座板の上に平らな蓋板を単に載せただけであり、臭気が便座板と蓋板の間から漏れ出てくるのを防止できない。特許文献８に記載された簡易トイレはダンボール製であるため、上記の問題点に加えて、さらに耐荷重性及び耐水性に乏しく、再利用が困難という問題もある。
【０００６】
本発明は、従来の可搬式簡易トイレの問題点に鑑みてなされたもので、部品数が少なく低コストで、組み立ての手間が必要でなく、使用後に臭気が漏れ出るのを防止でき、再使用も可能な可搬式簡易トイレを提供することを目的とする。
【課題を解決するための手段】
【０００７】
本発明に係る可搬式簡易トイレは、プラスチックの一体もののブロー成形体であり、蓋と便座と本体容器からなり、前記便座と本体容器は開口部を有し、前記蓋と便座が前記本体容器の対向位置にそれぞれ可撓性を有するヒンジ部を介して連接され、前記便座を前記本体容器の上に被せたとき前記便座と本体容器との間で嵌合構造を有し、前記蓋を前記便座の上に被せたとき前記蓋と前記便座との間で嵌合構造を有することを特徴とする。なお、前記ヒンジ部は、ブロー成形体を構成する２重壁がブロー成形時に相互に圧着して形成された薄肉の部分であり、それ自体周知のものである。
上記可搬式簡易トイレは、必要に応じて、さらにプラスチックのブロー成形体からなる別体の台座を含み、前記台座は前記本体容器の下に配置される。
上記可搬式簡易トイレは、さらに排泄物収納用のプラスチック製袋を含み、前記プラスチック製袋は前記本体容器に収容され、前記便座を前記本体容器の上に被せたとき前記プラスチック製袋の開口部の全周が前記本体容器と便座の間に挟まれる。
【発明の効果】
【０００８】
本発明に係る可搬式簡易トイレは、蓋と便座と本体容器が一体もののブロー成形体からなり、部品数が少なくて済み、低コストであり、使用時は本体容器の上に便座を置くだけであるので、組み立ての手間が必要でなく、必要なとき取り出してすぐ使用できる。また、本体容器と便座が嵌合構造を有し、かつ便座と蓋が嵌合構造を有するので、便座を本体容器上に置き、蓋を閉じると、便座と本体容器の間及び便座と蓋の間から臭気が漏れ出るのをほぼ確実に抑えることができる。さらに、本体容器と便座が嵌合構造を有することにより、排泄物収納用のプラスチック製袋を使用する場合は前記袋の開口部周縁をしっかり挟んで保持でき、袋の開口部が下にずれて汚物が漏れるようなことが防止できる。本発明に係る可搬式簡易トイレ（ブロー成形体の部分）は、使用後に必要に応じて洗浄し、再使用することができる。  
【図面の簡単な説明】
【０００９】
【図１】本発明に係る可搬式簡易トイレの広げた状態の斜視図である。
【図２】図１に示す可搬式簡易トイレの平面図（２Ａ）、及び側面図（２Ｂ）である。
【図３】図１に示す可搬式簡易トイレの一使用形態を示す斜視図である。
【図４】本発明に係る別の可搬式簡易トイレの広げた状態の斜視図である。
【図５】図４に示す可搬式簡易トイレの平面図（２Ａ）、及び側面図（２Ｂ）である。
【図６】図４に示す可搬式簡易トイレの一使用形態を示す斜視図である。
【発明を実施するための形態】
【００１０】
以下、図１〜６を参照して、本発明に係る可搬式簡易トイレ（以下、単に簡易トイレという）について、より具体的に説明する。
図１〜３に示す簡易トイレ１は、プラスチックのブロー成形体からなる。この簡易トイレ１は１回のブロー成形で得られた一体ものであり、本体容器２、便座３及び蓋４からなり、本体容器２と便座３がヒンジ５を介して連接され、本体容器２と蓋４がヒンジ６を介して連接されている。ヒンジ５，６は、本体容器１、便座２及び蓋３のブロー成形時に成形されたもので、ブロー成形体を構成する２重壁がブロー成形時に金型の合わせ面で相互に圧着され板状に薄肉化した部分であり、それ自体ブロー成形体の一部をなす。ヒンジ５，６は周知のごとく可撓性を有し、便座３を本体容器２上に設置し（被せ）、かつ蓋４を便座３上に設置する（被せる）ことができるように所定の長さを有する。便座３と蓋４は、本体容器２の対向位置（前後の位置）に配置されている。
【００１１】
本体容器２は平面視の輪郭が略４角形で、底壁７、４つの連続する側壁８，８・・、及び上壁９からなり、上壁９の中央部に開口１０が形成され、開口１０の周囲には下方に向けて（本体容器２の中空内部に向けて）穴フランジ９ａが形成されている。上壁９の開口１０の周囲の領域には段差があり、外周域９ｂはその内側域９ｃより高さがやや低い。各側壁８には、持ち運びや便座３及び蓋４の開閉に便利なように、手掛け用の凹部８ａが形成されている。
【００１２】
便座３は二重壁の板状部材であり、平面視の輪郭が本体容器２とほぼ一致する。便座３は、中央部に上下に貫通する開口１１を有し、図１，２において便座３の上面１２側（便座３を本体容器２上に設置したとき下面側となる）をみると、開口１１の周囲に上方に向けて（便座３を本体容器２上に設置したときは下方に向く）二重壁の穴フランジ１２ａが形成されている。また、便座３の上面１２の穴フランジ１２ａの周囲の領域には段差があり、その外周域１２ｂの上向き（便座３を本体容器２上に設置したとき下向きとなる）の高さがその内側域１２ｃよりやや高い。一方、図１，２をみると、便座３の下面１３側（便座３を本体容器２上に設置したとき上面側となる）に段差があり、外周域１３ａの下向きの高さがその内側域１３ｂよりやや低い。便座３の前方側（便座３を本体容器２上に設置したとき後方側（背面側）となる）には、手掛け用の凹部３ａが形成されている。
【００１３】
蓋４は二重壁の板状部材であり、平面視の輪郭が本体容器２とほぼ一致する。図１，２をみると、蓋４の上面１４側（蓋４を便座３上に設置したとき下面側となる）に段差があり、外周域１４ａの上向きの高さがその内側域１４ｂよりやや高い。また、蓋４の下面１５側（蓋４を便座３上に設置したときは上面側となる）には段差がなく、略平坦である。蓋４の後方側（蓋４を便座３上に設置したときは前方側となる）には、手掛け用の凹部４ａが形成されている。
【００１４】
簡易トイレ１の一般的使用法としては、排泄物収納用のプラスチック製袋（図示せず）を本体容器２内に収容し、その開口部を開口１０から上に出し、開口部の全周を上壁９上に広げ、便座３を持ち上げ、ヒンジ５を湾曲させて、便座３の上面１２側を下に向けて本体容器２上に設置する（折りたたむように被せる）。図３に便座３を本体容器２上に被せた状態を示す（ただし、プラスチック製袋は図示省略されている）。このとき、便座３の穴フランジ１２ａが本体容器２の開口１０内に嵌り、便座３の上面１２側（この段階では上面１２は下を向いているので下面側といってもよい）の外周域１２ｂが本体容器２の上壁９の外周域９ｂの周囲に嵌り、本体容器２の上壁９の内周壁９ｃが便座３の穴フランジ１２ａと上面１２側（下面側）の外周域１２ｂの間に嵌る。そして、プラスチック製袋は本体容器２の上壁９と便座３の上面１２側（下面側）の間に挟まれ、開口１０を環状に取り囲む二重の嵌合構造によりプラスチック製袋の開口部周縁はしっかり挟まれ、以後、位置ずれを起こすことなく保持される。
【００１５】
使用後（排便後）は、蓋４を持ち上げ、ヒンジ６を湾曲させて、蓋４の上面１４を下に向けて便座３上に設置する（折りたたむように被せる）。このとき、蓋４の上面１４側（この段階では上面１４は下を向いているので下面側といってもよい）の内側域１４ｂの面が便座３の下面１３（この段階では下面１３は上を向いているので上面側といってもよい）の内側域１３ｂに接触して開口１１を閉じ、蓋４の上面１４側（下面側）の外周域１４ａが便座３の下面１３側（上面側）の内側域１３ｂの周囲に嵌る。蓋４により開口１１が閉じられること、及び蓋４と便座３の間の開口１１を環状に取り囲む嵌合構造（さらに便座３と本体容器２の間の前記嵌合構造）により、本体容器２内（プラスチック製袋内）の汚物による臭気が、便座３と蓋４の間及び便座３と本体容器２の間から漏れ出るのを抑えることができる。
【００１６】
簡易トイレ１は、図３に示すように、例えば自動車のシート（図示せず）の上に設置して使用されるもので、そのため便座３と蓋４を容器本体２に被せたときの高さが低く（例えば１３ｃｍ以下）設定されている。図３に示す例では、容器本体２とヒンジ６の間にシートベルト１５を通し、簡易トイレ１をシート上に係止し、前後左右にずれないようにしている。この係止構造としては、ヒンジ６を利用する代わりに、容器本体２の背面側（蓋４側）の側壁８にシートベルト１５を通すフック構造を一体的に形成してもよい。
【００１７】
なお、上記の例では、排泄物はプラスチック製袋内に入る。排泄物が入ったプラスチック製袋は、使用の都度、容器本体内から取出し、開口部を閉じて別の場所に保管してもよいし、複数回の排泄後に、そのようにしてもよい。また、プラスチック製袋を用いない（排泄物は直接容器本体２内に入る）という使用法もあり得る。
【００１８】
図４〜６に示す簡易トイレ１８は、共にプラスチックのブロー成形体からなる本体部１９と台座２０からなる。本体部１９は一体もので、簡易トイレ１と同様に、本体容器２２、便座２３及び蓋２４からなり、本体容器２２と便座２３がヒンジ２５を介して連接され、本体容器２２と蓋２４がヒンジ２６を介して連接されている。便座２３と蓋２４は、本体容器２２の対向位置（前後の位置）に配置されている。ヒンジ２５，２６は、簡易トイレ１のヒンジ５，６と同様に、ブロー成形体を構成する２重壁がブロー成形時に金型の合わせ面で相互に圧着され板状に薄肉化した部分で、可撓性を有する。
【００１９】
本体容器２２は平面視の輪郭が略６角形で、底壁２７、６つの連続する側壁２８，２８・・、及び上壁２９からなり、上壁２９の中央部に開口３０が形成され、開口３０の周囲には下方に向けて（本体容器２２の中空内部に向けて）穴フランジ２９ａが形成されている。上壁２９の開口３０の周囲の領域２９ｂには段差がなく、平坦である。各側壁２８には、持ち運びや便座２３及び蓋２４の開閉に便利なように、手掛け用の凹部２８ａが形成されている。ただし、後側（蓋２４側）の側壁２８に形成された凹部２８ａ（図６参照）は、係止部としても機能する（後述）。本体容器２２の高さは、簡易トイレ１の本体容器２より高く形成されている。
【００２０】
便座２３は二重壁の部材であり、平面視の輪郭が本体容器２２とほぼ一致する。便座２３は、中央部に上下に貫通する開口３１を有し、図４，５において便座２３の上面３２側（便座２３を本体容器２２上に設置したとき下面側となる）をみると、開口３１の周囲に上方に向けて（便座２３を本体容器２２上に設置したとき下方に向く）二重壁の穴フランジ３２ａが形成されている。便座２３の上面３２側において、穴フランジ３２ａとその周囲の領域３２ｂの間には段差があるが、領域３２ｂ自体には後述する凹部２３ａを除いて段差がなく、基本的に平坦である。便座の下面３３側（便座２３を本体容器２２上に設置したとき上面側となる）は平坦である。便座３の左右に、手掛け用の凹部２３ａが形成されている。
【００２１】
蓋２４は二重壁の部材であり、平面視の輪郭が本体容器２２とほぼ一致する。図４，５をみると、蓋２４の上面３４側（蓋２４を便座２３上に設置したとき下面側となる）に段差があり、外周域３４ａの上向きの高さがその内側域３４ｂより低い（内側域３４ｂが凸部として突出している）。蓋２４の下面３５側（蓋２４を便座２３上に設置したとき上面側となる）には段差がなく、平坦である。
台座２０は、底壁３６、６つの側壁３７，３７・・、及び上壁３８からなり、平面視の輪郭が本体容器２２の底壁２７とほぼ一致する。上壁３８の中央部に開口３９が形成され、開口３９の周囲には下方に向けて（台座２０の中空内部に向けて）穴フランジ３８ａが形成されている。上壁３８の穴フランジ３８ａの周囲の領域３８ｂは、後方側にくぼみ３８ｃと上方に突出する突起３８ｄが形成されているが、それらを除き全体として平坦である。また、各側壁３７には手掛け用の凹部３７ａが形成されている。
【００２２】
図６に示すように、便座２３を持ち上げ、ヒンジ２５を湾曲させて、便座２３の上面３２を下に向けて本体容器２２上に設置する（折りたたむように被せる）と、便座２３の上面３２側（この段階では上面３２は下を向いているので下面側といってもよい）の穴フランジ３２ａが本体容器２２の開口３０（穴フランジ２９ａ）内に嵌り、前記穴フランジ３２ａの周囲の領域３２ｂが本体容器２２の上壁２９の領域２９ｂ上に置かれる。このように、簡易トイレ１８は、便座２３と本体容器２２の間で開口３０を環状に取り囲む嵌合構造を有する。
【００２３】
次に蓋２４を持ち上げ、ヒンジ２６を湾曲させて、蓋２４の上面３４を下に向けて便座２３上に設置する（折りたたむように被せる）と、蓋２４の上面３４側（この段階では上面３４は下を向いているので下面側といってもよい）の凸部である内側域３４ｂが便座２３の開口３１（穴フランジ３２ａ）内に嵌り、外周域３４ａが便座２３の下面３３側（この段階では下面３３は上を向いているので上面側といってもよい）上に置かれる。このように、簡易トイレ１８は、蓋２４と便座２３の間で開口３１を環状に取り囲む嵌合構造を有する。
【００２４】
簡易トイレ１８の一般的使用法は、簡易トイレ１と同様である。ただし、簡易トイレ１８を例えば自動車で携行する場合、使用時は車内の床に設置することが好ましい。図６に示すように、便座２３に座ったときの高さ調整のため、必要に応じて本体容器２２の下に台座２０を置いて使用する。台座２０の上に本体容器２２を置いたとき、台座２０の上壁３８に形成された突起３８ｄが、本体容器２２の後側の側壁２８に形成された凹部３６ａに嵌り、本体容器２２が台座２０に係止される。
なお、台座２０の使用を前提とするのであれば、本体容器２２において底壁２７の存在は必須ではない。底壁２７がない場合、本体容器２２と台座２０が容器となる。
【符号の説明】
【００２５】
１，１８  簡易トイレ
２，２２  本体容器
３，２３  便座
４，２４  蓋
５，６，２５，２６  ヒンジ
１０，１１，３０，３１  開口
２０  台座
【図１】
2018201893.tif 000003
【図２】
2018201893.tif 000004
【図３】
2018201893.tif 000005
【図４】
2018201893.tif 000006
【図５】
2018201893.tif 000007
【図６】
2018201893.tif 000008